(57)【要約】【課題】原稿の影の悪影響を受けずに、また不定型の原稿であっても、原稿のサイズを正確に検出する。【解決手段】第１走査ユニット１５が原稿の先端近傍にあるときには、第１光源４１が消灯されて、第２光源４２が点灯されると、原稿の先端に短い影が生じ、原稿の先端の短い影が読取られ、原稿の先端が検出される。また、第１走査ユニット１５が原稿の後端近傍にあるときには、第１光源４１が点灯されて、第２光源４２が消灯されると、原稿の後端に短い影が生じ、原稿の後端の短い影が読取られ、原稿の後端が検出される。こうして原稿Ｍの先端及び後端を検出しているので、原稿のサイズを正確に判定することができる。【選択図】図２
2004328154.tif 000002
【特許請求の範囲】
【請求項１】
光を原稿に照射しつつ、原稿を読取る原稿読取り装置において、
光を原稿に照射する複数の光源と、
各光源の同時点灯及び該各光源の切り換え点灯を順次行ないつつ、原稿の読取りを行なう制御手段と
を備えることを特徴とする原稿読取り装置。
【請求項２】
各光源を原稿のスキャン方向に並べて配置し、スキャン開始位置寄りの光源及びスキャン終了位置寄りの光源を設けたことを特徴とする請求項１に記載の原稿読取り装置。
【請求項３】
制御手段は、スキャン開始位置寄りの光源及びスキャン終了位置寄りの光源を同時点灯して、原稿の読取りを行なうことを特徴とする請求項２に記載の原稿読取り装置。
【請求項４】
制御手段は、スキャン開始位置寄りの光源及びスキャン終了位置寄りの光源を選択的に点灯して、原稿の端部の検出を行なうことを特徴とする請求項２に記載の原稿読取り装置。
【請求項５】
制御手段は、原稿のスキャン開始に際し、スキャン開始位置寄りの光源及びスキャン終了位置寄りの光源のいずれかを点灯して、スキャン開始位置側の原稿の先端の検出及びスキャン方向と直交する方向に離間した原稿の両端の検出を行なうことを特徴とする請求項２に記載の原稿読取り装置。
【請求項６】
制御手段は、原稿のスキャン開始に際し、スキャン方向と直交する方向に離間した原稿の両端の検出を行なうと、該両端の離間距離である該原稿の幅に基づいて、スキャン終了位置側の原稿の後端位置を予測しておき、原稿のスキャン中に、少なくとも該原稿の後端近傍を除く範囲で、スキャン開始位置寄りの光源及びスキャン終了位置寄りの光源を同時点灯することを特徴とする請求項５に記載の原稿読取り装置。
【請求項７】
制御手段は、原稿のスキャン開始に際し、スキャン方向と直交する方向に離間した原稿の両端の検出を行なうと、該両端の離間距離である該原稿の幅に基づいて、スキャン終了位置側の原稿の後端位置を予測しておき、原稿のスキャン中に、該原稿の後端近傍で、スキャン開始位置寄りの光源及びスキャン終了位置寄りの光源のいずれかを点灯することを特徴とする請求項５に記載の原稿読取り装置。
【請求項８】
制御手段は、原稿のプレスキャンのときに、各光源の同時点灯及び該各光源の切り換え点灯を順次行ないつつ、原稿の読取りを行なうことを特徴とする請求項１に記載の原稿読取り装置。
【請求項９】
光を原稿に照射しつつ、原稿を読取る原稿読取り方法において、
原稿に照射する複数の光源の同時点灯及び該各光源の切り換え点灯を順次行ないつつ、原稿の読取りを行なうことを特徴とする原稿読取り方法。
【発明の詳細な説明】
【０００１】
【発明の属する技術分野】
本発明は、複写機やファクシミリ装置等で用いられ、光を原稿に照射しつつ、原稿を読取る原稿読取り装置及び原稿読取り方法に関する。
【０００２】
【従来の技術】
この種の装置としては、原稿を搬送しつつ、原稿をスキャンして読取る原稿移動方式と、原稿を載置して位置決めした上で、原稿をスキャンして読取る原稿固定方式とがある。
【０００３】
いずれの方式でも、原稿を適確に読取るために、原稿のサイズを検出している。前者の原稿移動方式では、原稿の搬送路にセンサを設けて、搬送されている原稿をセンサにより検出し、センサによる検出タイミング、原稿の搬送速度、及びセンサの位置から原稿読取り位置までの距離等に基づいて、読取った画像中の原稿の先端及び後端を検出し、更に画像処理により原稿の先端及び後端の影を消去してから、原稿のサイズを正確に識別している。
【０００４】
また、後者の原稿固定方式では、原稿をプレスキャンにより読取り、読取った画像に基づいて、原稿のサイズを識別し、この後に原稿を主スキャンにより読取っている。
【０００５】
ところが、原稿固定方式では、原稿移動方式の様に画像処理により原稿の先端及び後端の影を消去することなく、影を含む画像から原稿のサイズを直接判定しているので、影の影響を受けて、原稿のサイズを正確に判定することができなかった。例えば、図７（ａ）に示す様にプラテンガラス１０１上に原稿を載置し、プラテンガラス１０１下方の光源１０２により、原稿１０３を左斜め下方から照明しながら、光源１０２を移動させ、原稿１０３を読取るとすると、原稿の先端に影が全く生じず、かつ原稿の後端に長い影Ｒが生じた画像を読取ることになる。同様に、図７（ｂ）に示す様に原稿１０３を右斜め下方から照明しながら、光源１０２を移動させ、原稿１０３を読取るとすると、原稿の先端に長い影Ｒが生じ、かつ原稿の後端に影が全く生じない画像を読取ることになる。このため、原稿の先端及び後端を正確に特定することができず、原稿のサイズを正確に判定することができなかった。
【０００６】
一方、特許文献１には、前面白地の調整用紙を読取って、調整用紙の端の影を不揮発性メモリに記憶しておき、不揮発性メモリ内の調整用紙の端の影を用いて、原稿の端の影をマスクするという技術が開示されている。
【０００７】
また、特許文献２には、第１の原稿エッジ検出部と第２の原稿エッジ検出部により原稿のエッジをそれぞれ検出し、各エッジのうちの大きなサイズを示すものを選択するという技術が開示されている。
【０００８】
【特許文献１】
特開２００１−１８９８３０号公報
【特許文献２】
特開平１０−２２４５６３号公報
【０００９】
【発明が解決しようとする課題】
ところが、特許文献１では、調整用紙と同一のサイズの原稿を読取ったときには、原稿の端の影をマスクすることができるものの、調整用紙と異なるサイズの原稿については、原稿の端の影をマスクすることができなかった。このため、特許文献１の技術を適用したとしても、原稿のサイズを常に正確に判定することは困難である。
【００１０】
また、特許文献２では、ノイズやごみの影響、あるいは原稿の文字や線の影響を受けることなく、原稿のエッジを検出することはできても、原稿の影については考慮されていなかった。
【００１１】
そこで、本発明は、上記従来の問題点に鑑みてなされたものであり、原稿の影の悪影響を受けずに、また不定型の原稿であっても、原稿のサイズを正確に検出することが可能な原稿読取り装置及び原稿読取り方法を提供することを目的とする。
【００１２】
【課題を解決するための手段】
上記課題を解決するために、本発明は、光を原稿に照射しつつ、原稿を読取る原稿読取り装置において、光を原稿に照射する複数の光源と、各光源の同時点灯及び該各光源の切り換え点灯を順次行ないつつ、原稿の読取りを行なう制御手段とを備えている。
【００１３】
この様な構成の本発明によれば、原稿を照明する各光源の同時点灯及び該各光源の切り換え点灯を順次行ないつつ、原稿の読取りを行なっている。各光源を同時点灯した場合は、原稿の面を均一に照射することができ、原稿の面を良好に読取ることができる。また、各光源を切り換え点灯した場合は、光が様々な適宜の角度から原稿の端へと照射されるので、原稿の先端及び後端のいずれにも短い影が生じる。このため、原稿の先端及び後端を正確に検出して、原稿のサイズを正確に判定することができる。また、原稿の先端及び後端やサイズを検出するためのセンサを設ける必要がない。
【００１４】
また、本発明においては、各光源を原稿のスキャン方向に並べて配置し、スキャン開始位置寄りの光源及びスキャン終了位置寄りの光源を設けている。そして、制御手段は、スキャン開始位置寄りの光源及びスキャン終了位置寄りの光源を同時点灯して、原稿の読取りを行なっている。あるいは、制御手段は、スキャン開始位置寄りの光源及びスキャン終了位置寄りの光源を選択的に点灯して、原稿の端の検出を行なっている。
【００１５】
この様にスキャン開始位置寄りの光源及びスキャン終了位置寄りの光源を設けて、各光源を同時点灯すれば、原稿の面を均一に照射することができ、原稿の面を良好に読取ることができる。また、スキャン開始位置寄りの光源及びスキャン終了位置寄りの光源を選択的に点灯して、原稿の先端及び後端を斜め方向から照明すれば、原稿の先端及び後端の影を生じさせて、原稿の先端及び後端を検出することができる。
【００１６】
更に、本発明においては、制御手段は、原稿のスキャン開始に際し、スキャン開始位置寄りの光源及びスキャン終了位置寄りの光源のいずれかを点灯して、スキャン開始位置側の原稿の先端の検出及びスキャン方向と直交する方向に離間した原稿の両端の検出を行なっている。そして、制御手段は、原稿のスキャン開始に際し、スキャン方向と直交する方向に離間した原稿の両端の検出を行なうと、該両端の離間距離である該原稿の幅に基づいて、スキャン終了位置側の原稿の後端位置を予測しておき、原稿のスキャン中に、少なくとも該原稿の後端近傍を除く範囲で、スキャン開始位置寄りの光源及びスキャン終了位置寄りの光源を同時点灯している。あるいは、制御手段は、原稿のスキャン開始に際し、スキャン方向と直交する方向に離間した原稿の両端の検出を行なうと、該両端の離間距離である該原稿の幅に基づいて、スキャン終了位置側の原稿の後端位置を予測しておき、原稿のスキャン中に、該原稿の後端近傍で、スキャン開始位置寄りの光源及びスキャン終了位置寄りの光源のいずれかを点灯している。
【００１７】
この様に原稿のスキャン開始に際し、スキャン方向と直交する方向に離間した原稿の両端の検出を行なえば、該両端の離間距離である該原稿の幅に基づいて、スキャン終了位置側の原稿の後端位置を予測することができる。これは、原稿が定型サイズ（Ａ５、Ｂ５、Ａ４、Ｂ４等のサイズ）であるならば、原稿の幅が特定されると、原稿の長さも特定されるためである。そして、原稿のスキャン中に、少なくとも該原稿の後端近傍を除く範囲で、スキャン開始位置寄りの光源及びスキャン終了位置寄りの光源を同時点灯すれば、原稿の面を均一に照射しつつ、原稿の面を良好に読取ることができる。あるいは、原稿のスキャン中に、該原稿の後端近傍で、スキャン開始位置寄りの光源及びスキャン終了位置寄りの光源のいずれかを点灯すれば、原稿の後端を斜め方向から照明して、原稿の後端の影を生じさせ、原稿の後端を検出することができる。
【００１８】
また、本発明においては、制御手段は、各光源のプレスキャンのときに、各光源の同時点灯及び該各光源の切り換え点灯を順次行ないつつ、原稿の読取りを行なっている。
【００１９】
この様に各光源のプレスキャンのときに、原稿の読取りを行なって、先に述べた様に原稿の先端及び後端を正確に検出して、原稿のサイズを正確に判定しておけば、主スキャンのときに、原稿のサイズに応じて、原稿を正確に読取ることが可能になる。
【００２０】
一方、本発明は、光を原稿に照射しつつ、原稿を読取る原稿読取り方法において、原稿に照射する複数の光源の同時点灯及び該各光源の切り換え点灯を順次行ないつつ、原稿の読取りを行なっている。
【００２１】
この様な本発明の方法によっても、上記本発明の原稿読取り装置と同様の作用及び効果を達成することができる。
【００２２】
【発明の実施の形態】
以下、本発明の実施形態を添付図面を参照して詳細に説明する。
【００２３】
図１は、本発明の原稿読取り装置の一実施形態を適用した画像形成装置を示す側面図である。この画像形成装置１は、原稿搬送部２、原稿読取り装置３、印刷部４、記録用紙搬送部５、給紙部６、及び排紙トレイ７を備えている。
【００２４】
原稿搬送部２では、少なくとも１枚の原稿が原稿セットトレイ１１にセットされると、原稿を１枚ずつ原稿セットトレイ１１から引き出して搬送し、原稿の先端がＰＳローラ対１２に達したときに原稿の搬送を一時的に停止して、原稿の先端をＰＳローラ対１２と平行にする。そして、印刷部４による画像記録動作と同期を取ってから、ＰＳローラ対１２と駆動軸間のクラッチをオンにして、ＰＳローラ対１２を回転駆動し、ＰＳローラ対１２によって原稿を再搬送して、原稿をプラテンガラス８ａと原稿押え板９間を通過させる。
【００２５】
原稿読取り装置３では、原稿の搬送に際し、第１走査ユニット１５によって原稿を露光し、第１及び第２走査ユニット１５，１６によって原稿からの反射光を結像レンズ１７へと導き、結像レンズ１７によって原稿を光電変換素子（以下ＣＣＤと称する）１８上に結像する。ＣＣＤ１８は、原稿を主走査方向に繰り返し走査して読取り、原稿を示す画像データを出力する。
【００２６】
また、原稿がプラテンガラス８ｂ上に置かれた場合は、第１及び第２走査ユニット１５，１６を相互に所定の速度関係を維持しつつ移動させ、第１走査ユニット１５によってプラテンガラス８ｂ上の原稿を露光し、第１及び第２走査ユニット１５，１６によって原稿からの反射光を結像レンズ１７へと導き、結像レンズ１７によって原稿をＣＣＤ１８上に結像する。
【００２７】
ＣＣＤ１８から出力された画像データは、マイクロコンピュータ等の制御回路（図２に示す）により各種の画像処理を施されてから、印刷部４に出力される。
【００２８】
印刷部４は、画像データによって示される原稿を記録用紙に記録するものであって、感光体ドラム２１、帯電器２２、レーザスキャンユニット（以下ＬＳＵと称する）２３、現像器２４、転写器２５、クリーニング器２６、除電器（図示せず）、及び定着器２７等を備えている。感光体ドラム２１は、一方向に回転しており、その表面をクリーニング器２６と除電器によりクリーニングされてから、その表面を帯電器２２により均一に帯電される。レーザスキャンユニット２３は、画像データに応じてレーザ光を変調し、このレーザ光によって感光体ドラム２１表面を主走査方向に繰り返し走査して、静電潜像を感光体ドラム２１表面に形成する。現像器２４は、トナーを感光体ドラム２１表面に供給して、静電潜像を現像し、トナーの可視像を感光体ドラム２１表面に形成する。転写器２５は、感光体ドラム２１表面のトナーの可視像を記録用紙搬送部５により搬送されてきた記録用紙に転写する。定着器２７は、記録用紙を加熱及び加圧して、記録用紙上のトナーの可視像を定着させる。この後、記録用紙は、記録用紙搬送部５により排紙トレイ７へと更に搬送されて排出される。
【００２９】
記録用紙搬送部５は、記録用紙を搬送するためのＰＳローラ対２８、複数の搬送ローラ対２９、搬送経路３１、及び反転搬送経路３２等を備えている。搬送経路３１は、記録用紙を給紙部６から受け取って印刷部４へと搬送し、更に記録用紙を排紙トレイ７へと搬送する。反転搬送経路３２は、記録用紙を印刷部４から受け取って、記録用紙の表裏を反転させてから、記録用紙を印刷部４へと再度搬送する。これらの搬送経路３１，３２には、記録用紙の通過を検出するための複数の検知スイッチが配置されており、各検知スイッチの検知に応じて記録用紙の搬送タイミング等の制御が行なわれる。
【００３０】
給紙部６は、未使用の記録用紙を収容して、この未使用の記録用紙を記録用紙搬送部５に供給するものであって、給紙カセット３３及び手差しトレイ３４を備えている。給紙カセット３３には、記録用紙が積層収容され、半月形のピックアップローラ３５により記録用紙が１枚ずつ引き出されて搬送される。手差しトレイ３４にも、記録用紙が載せられ、ピックアップローラ３６により記録用紙が引き出され、記録用紙が送りローラ３７により搬送される。記録用紙が給紙カセット３３又は手差しトレイ３４から引き出され、その先端がＰＳローラ対２８に達すると、記録用紙の搬送が一時的に停止され、記録用紙の先端がＰＳローラ対２８と平行にされてから、記録用紙がＰＳローラ対２８により印刷部４の転写器２５へと搬送される。
【００３１】
ところで、本実施形態の原稿読取り装置３では、図２に示す様に第１走査ユニット１５に第１及び第２光源４１，４２という２つの光源を設け、第１及び第２光源４１，４２間に反射ミラー１５ａを配置している。
【００３２】
第１及び第２光源４１，４２は、光をプラテンガラス８ｂ上の原稿Ｍに照射する。原稿Ｍからの反射光の一部は、第１及び第２光源４１，４２間を通って反射ミラー１５ａで反射され、第２走査ユニット１６へと入射し、更に第２走査ユニット１６の各反射ミラー１６ａ，１６ｂで反射され、結像レンズ１７を介してＣＣＤ１８へと入射する。ＣＣＤ１８は、原稿Ｍを主走査方向に繰り返し走査して読取り、原稿Ｍを示す画像データをマイクロコンピュータ等の制御回路４０に出力する。従って、第１及び第２光源４１，４２の両側から原稿Ｍの読取り位置を照明し。第１及び第２光源４１，４２の中央で原稿Ｍを読取っていると言える。
【００３３】
また、制御回路４０は、第１及び第２インバータ４３，４４を通じて、第１及び第２光源４１，４２を駆動制御している。第１及び第２インバータ４３，４４は、例えば図３に示す様な回路構成であり、交流駆動電圧を冷陰極管である第１及び第２光源４１，４２に印加して、該各光源４１，４２を点灯させる。制御回路４０は、第１及び第２インバータ４３，４４と電源４５間のスイッチ４６をオンオフ制御して、第１及び第２光源４１，４２を点灯させたり消灯させたりする。
【００３４】
ここで、先に述べた様に原稿Ｍがプラテンガラス８ｂ上に置かれた場合は、第１及び第２走査ユニット１５，１６を相互に所定の速度関係を維持しつつ移動させ、原稿ＭをＣＣＤ１８上に結像して、原稿ＭをＣＣＤ１８により読取る。これを主スキャンと称する。
【００３５】
そして、制御回路４０は、主スキャンに際し、第１及び第２インバータ４３，４４のスイッチ４６をオンにして、図４（ａ）に示す様に第１走査ユニット１５の第１及び第２光源４１，４２を共に点灯し続け、原稿Ｍの面を均一に照明して、原稿Ｍの面の読取りが良好に行なわれ得る様にしている。
【００３６】
また、主スキャンの前に、原稿Ｍのサイズや種類（カラー画像、モノクロ画像。文字原稿、写真原稿等）を判定するためのプレスキャンを行なっている。このプレスキャンにおいても、やはり第１及び第２走査ユニット１５，１６を相互に所定の速度関係を維持しつつ移動させ、原稿ＭをＣＣＤ１８上に結像して、原稿ＭをＣＣＤ１８により読取る。
【００３７】
そして、制御回路４０は、プレスキャンに際し、第１及び第２インバータ４３，４４のスイッチ４６を適宜のタイミングでオンオフに切り換えて、図４（ｂ）に示す様に第１走査ユニット１５の第１及び第２光源４１，４２の同時点灯と第１及び第２光源４１，４２の切り換え点灯とを周期的に繰り返す。これは、原稿Ｍの先端位置及び後端位置を検出したり、原稿Ｍの面を読取って、原稿Ｍの種類を判定したりするためである。
【００３８】
例えば、図５（ａ）に示す様に第１走査ユニット１５の反射ミラー１５ａが原稿Ｍの先端近傍にあるときには、第１光源４１が消灯されて、第２光源４２が点灯されると、原稿Ｍの先端に短い影ｒが生じ、原稿Ｍの先端の短い影ｒが第１走査ユニット１５、第２走査ユニット、及び結像レンズ１７を介してＣＣＤ１８で読取られる。逆に、第１光源４１が点灯されて、第２光源４２が消灯されると、原稿Ｍの先端に影が生じることはない。
【００３９】
このため、プレスキャンに際し、第１光源４１が消灯されて、第２光源４２が点灯されたときに、ＣＣＤ１８により読取られた画像に黒領域が含まれていれば、この黒領域を原稿Ｍの先端の影又は原稿Ｍの画像とみなすことができる。
【００４０】
また、図５（ｂ）に示す様に第１走査ユニット１５の反射ミラー１５ａが原稿Ｍの後端近傍にあるときには、第１光源４１が点灯されて、第２光源４２が消灯されると、原稿Ｍの後端に短い影ｒが生じ、原稿Ｍの後端の短い影ｒが第１走査ユニット１５、第２走査ユニット、及び結像レンズ１７を介してＣＣＤ１８で読取られる。逆に、第１光源４１が消灯されて、第２光源４２が点灯されると、原稿Ｍの後端に影が生じることはない。
【００４１】
このため、プレスキャンに際し、第１光源４１が点灯されて、第２光源４２が消灯されたときに、ＣＣＤ１８により読取られた画像に黒領域が含まれていれば、この黒領域を原稿Ｍの後端の影又は原稿Ｍの画像とみなすことができる。
【００４２】
更に、第１走査ユニット１５の反射ミラー１５ａが原稿Ｍの先端と後端の間にあるときには、第１及び第２光源４１，４２が同時点灯されると、原稿の面が均一に照明され、原稿Ｍの面が第１走査ユニット１５、第２走査ユニット、及び結像レンズ１７を介してＣＣＤ１８で読取られる。また、第１走査ユニット１５の反射ミラー１５ａが原稿Ｍの先端及び後端のいずれかの近傍にあるときには、第１及び第２光源４１，４２が同時点灯されると、原稿Ｍの先端及び後端のいずれにも影が生じることはない。
【００４３】
このため、プレスキャンに際し、第１及び第２光源４１，４２が点灯されたときに、ＣＣＤ１８により読取られた画像に黒領域が含まれていれば、この黒領域を原稿Ｍの画像とみなすことができる。
【００４４】
図６は、第１及び第２光源４１，４２の同時点灯及び切り換え点灯のときにＣＣＤ１８により読取られた画像に基づいて、原稿Ｍの先端位置及び後端位置を検出したり、原稿Ｍの種類を判定したりするための処理を示すフローチャートである。
【００４５】
まず、制御回路４０は、プレスキャンの開始と同時に、第１及び第２インバータ４３，４４と電源４５間のスイッチ４６をオンオフ制御して、図４（ｂ）に示す様な第１走査ユニット１５の第１及び第２光源４１，４２の点灯周期を開始する。この点灯周期は、プレスキャンの周期と比較して十分に短くされており、１回のプレスキャンを通じて、多数回の点灯周期が繰り返される。
【００４６】
そして、制御回路４０は、プレスキャンに際し、第１光源４１だけが点灯しているタイミングで（ステップＳ１０１）、ＣＣＤ１８により読取られた画像をサンプリングし、この画像に黒領域が含まれているか否かを判定する（ステップＳ１０２）。そして、画像に黒領域が含まれていれば（ステップＳ１０２で「Ｙｅｓ」）、制御回路４０は、この黒領域を原稿Ｍの先端の影又は原稿Ｍの画像とみなして、原稿Ｍの先端の検出フラグを「１」に設定する（ステップＳ１０３）。また、画像に黒領域が含まれていなければ（ステップＳ１０２で「Ｎｏ」）、原稿Ｍの先端の検出フラグを「０」のままにしておく。
【００４７】
また、制御回路４０は、第２光源４２だけが点灯しているタイミングで（ステップＳ１０４）、ＣＣＤ１８により読取られた画像をサンプリングし、この画像に黒領域が含まれているか否かを判定する（ステップＳ１０５）。そして、画像に黒領域が含まれていれば（ステップＳ１０５で「Ｙｅｓ」）、制御回路４０は、この黒領域を原稿Ｍの後端の影又は原稿Ｍの画像とみなして、原稿Ｍの後端の検出フラグを「１」に設定する（ステップＳ１０６）。また、画像に黒領域が含まれていなければ（ステップＳ１０５で「Ｎｏ」）、原稿Ｍの後端の検出フラグを「０」のままにしておく。
【００４８】
更に、制御回路４０は、第１及び第２光源４１，４２が同時点灯しているタイミングで（ステップＳ１０７）、ＣＣＤ１８により読取られた画像をサンプリングし、この画像に黒領域が含まれているか否かを判定する（ステップＳ１０８）。そして、画像に黒領域が含まれていれば（ステップＳ１０８で「Ｙｅｓ」）、制御回路４０は、この黒領域を原稿Ｍの先端又は後端の影ではなく、この黒領域を原稿Ｍの画像とみなし、原稿Ｍの先端の検出フラグ及び後端の検出フラグを「０」に設定する（ステップＳ１０９）。また、画像に黒領域が含まれていなければ（ステップＳ１０８「Ｎｏ」）、制御回路４０は、原稿Ｍの先端又は後端の検出フラグをそのままにしておく。
【００４９】
以降同様に、プレスキャンの開始から終了までの間に、各ステップＳ１０１〜Ｓ１０９を繰り返す。
【００５０】
プレスキャンに際しては、ＣＣＤ１８により最初に原稿の先端が読取られ、次に原稿の面が読取られ、最後に原稿の後端が読取られる。このため、図６のフローチャートの処理により、最初に原稿Ｍの先端の検出フラグが「１」に設定され、次に原稿Ｍの先端の検出フラグ及び後端の検出フラグが「０」に設定され、最後に原稿Ｍの後端の検出フラグが「１」に設定される。
【００５１】
そこで、制御部４２は、先端の検出フラグが「１」に設定された時点から後端の検出フラグが「１」に設定された時点までの時間を計時し、この計時した時間とプレスキャンの速度（第１走査ユニット１５の移動速度）を掛け合わせて、原稿Ｍの先端から後端までの距離、つまり原稿Ｍのサイズを求める。
【００５２】
また、制御部４２は、先端及び後端の検出フラグが「０」に共に設定されているときに、ＣＣＤ１８により読取られた画像に基づいて、原稿Ｍの種類を判定する。
【００５３】
この様に本実施形態の原稿読取り装置３では、プレスキャンに際し、第１走査ユニット１５の第１及び第２光源４１，４２の同時点灯と切り換え点灯とを周期的に繰り返しつつ、第１及び第２光源４１，４２の中央で原稿Ｍの先端及び後端の短い影を読取って、原稿Ｍの先端及び後端を検出しているので、原稿のサイズを正確に判定することができる。また、２つの光源を用いるので、光源１つ当たりの負荷を抑えることができる。
【００５４】
ところで、第１走査ユニット１５の第１及び第２光源４１，４２を点灯したときには、第１及び第２光源４１，４２の位置にかかわらず、スキャン方向と直交する方向に離間した原稿の両端にそれぞれの影が生じるので、原稿の両端を検出して、原稿の両端間の距離、つまり原稿の幅を求めても良い。
【００５５】
また、各種の定型サイズの長さと幅をメモリに予め記憶しておけば、原稿の幅を求めてから、この幅に対応する定型サイズの長さを求めることにより原稿の長さを予測することができる。
【００５６】
更に、原稿の先端が検出されたときに、これと同時に原稿の両端を検出して、原稿の幅を求め、この幅に対応する定型サイズの長さを求めて、原稿の長さを予測する。そして、原稿の先端の検出タイミング、予測された原稿の長さ、及びプレスキャンの速度に基づいて、原稿の後端近傍の読取りタイミングを予測し、原稿の先端の検出タイミングから後端近傍の読取りタイミングまでは、第１及び第２光源４１，４２を同時点灯して、原稿の面を読取り、原稿の種類を判定する。更に、原稿の後端近傍の読取りタイミングで、第１及び第２光源４１，４２を切り換え点灯して、原稿の後端の影を読取り、原稿の後端を検出する。これにより、第１及び第２光源４１，４２の無駄な切り換え点灯が行われずに済み、第１及び第２光源４１，４２の負荷を低減することができる。
【００５７】
尚、本発明は、上記実施形態に限定されるものではなく、多様に変形することができる。例えば、原稿の先端及び後端や両端の検出を主スキャンのときに行なっても構わない。
【００５８】
【発明の効果】
以上説明した様に本発明によれば、原稿を照明する各光源の同時点灯及び該各光源の切り換え点灯を順次行ないつつ、原稿の読取りを行なっている。各光源を同時点灯した場合は、原稿の面を均一に照射することができ、原稿の面を良好に読取ることができる。また、各光源を切り換え点灯した場合は、光が様々な適宜の角度から原稿の端へと照射されるので、原稿の先端及び後端のいずれにも短い影が生じる。このため、原稿の先端及び後端を正確に検出して、原稿のサイズを正確に判定することができる。また、原稿の先端及び後端やサイズを検出するためのセンサを設ける必要がない。
【００５９】
また、スキャン開始位置寄りの光源及びスキャン終了位置寄りの光源を設けて、各光源を同時点灯しているので、原稿の面を均一に照射することができ、原稿の面を良好に読取ることができる。また、スキャン開始位置寄りの光源及びスキャン終了位置寄りの光源を選択的に点灯して、原稿の先端及び後端を斜め方向から照明しているので、原稿の先端及び後端の影を生じさせて、原稿の先端及び後端を検出することができる。
【００６０】
更に、原稿のスキャン開始に際し、スキャン方向と直交する方向に離間した原稿の両端の検出を行ない、該両端の離間距離である該原稿の幅に基づいて、スキャン終了位置側の原稿の後端位置を予測している。そして、原稿のスキャン中に、少なくとも該原稿の後端近傍を除く範囲で、スキャン開始位置寄りの光源及びスキャン終了位置寄りの光源を同時点灯しているので、原稿の面を均一に照射しつつ、原稿の面を良好に読取ることができる。あるいは、原稿のスキャン中に、該原稿の後端近傍で、スキャン開始位置寄りの光源及びスキャン終了位置寄りの光源のいずれかを点灯しているので、原稿の後端を斜め方向から照明して、原稿の後端の影を生じさせ、原稿の後端を検出することができる。
【図面の簡単な説明】
【図１】本発明の原稿読取り装置の一実施形態を適用した画像形成装置を示す側面図である。
【図２】本実施形態の原稿読取り装置を概略的に示す側面図である。
【図３】本実施形態の原稿読取り装置のインバータ装置を示す回路図である。
【図４】（ａ）は主スキャンに際しての第１走査ユニットの第１及び第２光源の点灯シーケンスを示す図であり、（ｂ）はプレスキャンに際しての第１走査ユニットの第１及び第２光源の点灯シーケンスを示す図である。
【図５】（ａ）は第１走査ユニットの第２光源の点灯による原稿の先端の影を示す図であり、（ｂ）は第１走査ユニットの第１光源の点灯による原稿の後端の影を示す図である。
【図６】本実施形態の原稿読取り装置による処理過程を示すフローチャートである。
【図７】（ａ）は従来の装置における原稿の先端の影を示す図であり、（ｂ）は原稿の後端の影を示す図である。
【符号の説明】
１    画像形成装置
２    原稿搬送部
３    原稿読取り装置
４    印刷部
５    記録用紙搬送部
６    給紙部
７    排紙トレイ
１５    第１走査ユニット
１６    第２走査ユニット
１７    結像レンズ
１８    ＣＣＤ
４０    制御回路
４１    第１光源
４２    第２光源
４３    第１インバータ
４４    第２インバータ
４５    電源
４６    スイッチ
【図１】
2004328154.tif 000003
【図２】
2004328154.tif 000004
【図３】
2004328154.tif 000005
【図４】
2004328154.tif 000006
【図５】
2004328154.tif 000007
【図６】
2004328154.tif 000008
【図７】
2004328154.tif 000009